(57)【要約】      （修正有）【課題】点滴スタンドのアームの先端が、カーテンのメッシュ部分に引っ掛かることを防止するために、点滴スタンドのアームの先端を露出しないようにした点滴スタンドのアームの先端に取り付ける点滴スタンドキャップを提供する。【解決手段】点滴スタンドキャップ１０１、１０２は、点滴スタンド１１０の点滴バッグつり下げフック１１３、１１６の先端を挿入するための穴を備える。さらに、点滴スタンドキャップは、穴の内径よりも大きな外径を有する頭部とを備えることを特徴とする。【選択図】図１
0003196492.tif 000002
【実用新案登録請求の範囲】
【請求項１】
点滴スタンドの点滴バッグつり下げフックの先端を挿入するための穴と、
前記穴の内径よりも大きな外径を有する頭部と、
を備えた点滴スタンドキャップ。
【請求項２】
前記穴が、入り口に対して奥側の内径が小さくなるようなテーパを有する請求項１に記載の点滴スタンドキャップ。
【請求項３】
弾性部材によって形成された請求項１または２に記載の点滴スタンドキャップ。
【請求項４】
前記穴の入り口側において、前記頭部の外径よりも小さい外径を有する首部をさらに備えた請求項１、２または３に記載の点滴スタンドキャップ。
【請求項５】
前記頭部または首部に一端が固定された索状部材をさらに備え、
前記索状部材の他端には、点滴スタンドのアームに掛止する掛止部を備えた請求項１乃至４に記載の点滴スタンドキャップ。
【請求項６】
点滴スタンドの点滴バッグつり下げフックの先端を挿入するための穴と、
前記穴の内径よりも大きな外径を有する頭部と、
を備えた第１、第２点滴スタンドキャップと、
前記第１、第２点滴スタンドキャップを接続する索状部材と、
を備えた点滴スタンドキャップセット。
【請求項７】
点滴つり下げ用アームと点滴バッグつり下げ用フックとを有する点滴スタンドであって、
前記点滴つり下げフックの先端を挿入するための穴及び前記穴の内径よりも大きな外径を有する頭部を備えた点滴スタンドキャップと、
一端が前記点滴つり下げ用アームに固定され、他端が前記点滴スタンドキャップに固定された索状部材と、
をさらに有する点滴スタンド。
【考案の詳細な説明】
【技術分野】
【０００１】
本考案は、点滴スタンドキャップ、点滴スタンドキャップセットおよび点滴スタンドに関する。
【背景技術】
【０００２】
上記技術分野において、特許文献１には、点滴スタンドのフックがカーテン上部に配置されるメッシュ部に引っ掛かることを防止するための点滴スタンドの引っ掛かり防止装置が記載されている。
【先行技術文献】
【特許文献】
【０００３】
【特許文献１】特開２０１１−１０７０９号公報
【考案の概要】
【考案が解決しようとする課題】
【０００４】
しかしながら、上記装置ではアームの先端が露出しているので、カーテンのメッシュへの引っ掛かり防止が十分ではなかった。
【０００５】
本考案の目的は、上述の課題を解決する技術を提供することにある。
【課題を解決するための手段】
【０００６】
上記目的を達成するため、本考案に係る点滴スタンドキャップは、
点滴スタンドの点滴バッグつり下げフックの先端を挿入するための穴と、
前記穴の内径よりも大きな外径を有する頭部と、
を備えた。
【０００７】
上記目的を達成するため、本考案に係る点滴スタンドキャップセットは、
点滴スタンドの点滴バッグつり下げフックの先端を挿入するための穴と、
前記穴の内径よりも大きな外径を有する頭部と、
を備えた第１、第２点滴スタンドキャップと、
前記第１、第２点滴スタンドキャップを接続する索状部材と、
を備えた。
【０００８】
上記目的を達成するため、本考案に係る点滴スタンドは、
点滴つり下げ用アーム部と点滴バッグつり下げ用フック部とを有する点滴スタンドであって、
前記点滴つり下げフックの先端を挿入するための穴及び前記穴の内径よりも大きな外径を有する頭部を備えた点滴スタンドキャップと、
一端が前記点滴つり下げ用アームに固定され、他端が前記点滴スタンドキャップに固定された索状部材と、
をさらに有する。
【考案の効果】
【０００９】
本考案によれば、点滴スタンドのカーテンのメッシュ部分への引っ掛かりを十分に防止できる。
【図面の簡単な説明】
【００１０】
【図１】本考案の第１実施形態に係る点滴スタンドキャップの構成を説明する図である。
【図２】本考案の第１実施形態に係る点滴スタンドキャップの断面図である。
【図３】本考案の第２実施形態に係る点滴スタンドキャップセットの構成を説明する図である。
【図４】本考案の第３実施形態に係る点滴スタンドキャップの構成を説明する図である。
【図５】本考案の第４実施形態に係る点滴スタンドキャップの構成を説明する図である。
【図６】本考案の第５実施形態に係る点滴スタンドキャップの構成を説明する図である。
【図７】本考案の第６実施形態に係る点滴スタンドキャップセットの構成を説明する図である。
【図８】本考案の第７実施形態に係る点滴スタンドの構成を説明する図である。
【考案を実施するための形態】
【００１１】
以下に、本考案を実施するための形態について、図面を参照して、例示的に詳しく説明記載する。ただし、以下の実施の形態に記載されている、構成、数値、処理の流れ、機能要素などは一例に過ぎず、その変形や変更は自由であって、本考案の技術範囲を以下の記載に限定する趣旨のものではない。
【００１２】
［第１実施形態］
本考案の第１実施形態としての点滴スタンドキャップについて、図１および図２を用いて説明する。図１は、本実施形態に係る点滴スタンドキャップの構成を説明する図である。
【００１３】
点滴スタンドキャップ１０１、１０２は、点滴スタンド１１０に取り付けて使用するものである。点滴スタンドキャップ１０１、１０２は、点滴スタンド１１０のアーム１１２、１１５の先端部にあるフック１１３、１１６の先端１１４、１１７に上方から挿入されている。また、アーム１１２、１１５は、点滴スタンド１１０の支柱１１１に対して、水平方向に支持されている。アーム１１２、１１５は、通常ステンレス棒で構成されており、外径が６ミリメートル程度である。フック１１３、１１６には、点滴バッグ１２０を吊り下げることができる。
【００１４】
図２は、本実施形態に係る点滴スタンドキャップの断面図である。点滴スタンドキャップ１０１、１０２は、頭部２０１と首部２０２と穴２０３とを備え、全体として洋梨形状をしている。頭部２０１は、穴２０３の内径よりも大きな外径を有する。また、首部２０２の外径は、頭部２０１の外径よりも小さい。
【００１５】
点滴スタンドキャップ１０１、１０２の首部２０２側から頭部２０１側に向かって、穴２０３が設けられている。穴２０３は、入り口から奥側（図の穴の最上部）に向かって穴２０３の内径が小さくなるようなテーパを有しており、先細りの形状となっている。
【００１６】
穴２０３の入り口の径は、アーム１１２、１１５の先端１１４、１１７の径より大きめに形成してある。例えば、先端１１４、１１７の外径が７ミリメートルの場合、入り口の内径を７．２ミリメートルとする。一方、奥側の内径を例えば５．８ミリメートルとする。すなわち、穴２０３はテーパを有して奥に進むほど径が小さくなっている。これにより、アーム１１２、１１５の先端１１４、１１７の径が６ミリメートルのアーム１１２、１５にも固定することができる。
【００１７】
頭部２０１の部材としてアルミ、真鍮、ステンレスなど錆びにくい金属部材を用いることもできるが、弾性部材を用いることもできる。特に弾性部材を用いる場合、先端１１４、１１７がテーパ面に弾性的に密着固定されるので点滴スタンドキャップ１０１、１０２がカーテンのメッシュ部と接触しても外れにくい。また、弾性部材を用いた場合、点滴スタンドキャップ１０１、１０２が軽くなるとともに成型加工で容易に作製できるメリットがある。
【００１８】
本実施形態によれば、点滴スタンドのカーテンのメッシュ部分への引っ掛かりを十分に防止できる。また、点滴スタンドキャップ１０１、１０２を先端１１４、１１７に容易かつ確実に挿入できる。さらに、穴２０３の奥側が先端１１４、１１７の外径より小さく形成されているので、先端１１４、１１７は穴２０３の奥側まで到達せず、所定のテーパ面位置で穴２０３にテーパ固定される。穴２０３の入り口外径の大きさおよびテーパの傾斜度は適宜選択すればよい。また、点滴スタンドキャップ１０１、１０２の首部２０２の全長を長くすれば、穴２０３の奥行きを大きくできる。よって、先端１１４、１１７をより深くまで穴２０３に挿入することができるので、点滴スタンドキャップ１０１、１０２を点滴スタンド１１０に取り付けた場合に、安定して取り付けることができる。また、先端１１４、１１７に点滴スタンドキャップ１０１、１０２を被せる構造としたので、先端１１４、１１７が露出せず、カーテンのメッシュに引っ掛かることがない。
【００１９】
なお、本実施形態では、点滴スタンドキャップ１０１、１０２の形状を洋梨形状としたが他の形状を選択することも可能である。例えば、円柱形状や四角柱なども適宜選択できるが、引っ掛かり防止のために角部は丸みを出すことが好ましい。ただし、この場合も円柱や四角柱の外径はメッシュ部の内径より大きくしておく必要がある。
【００２０】
したがって、点滴スタンド１１０に用いる点滴スタンドキャップ１０１、１０２の表面も雑菌や病原菌が付着しにくいようにまた清掃しやすいように平滑加工することが望ましい。すなわち点滴スタンドキャップ部材としては錆にくい金属部材や錆のない弾性部材が細菌対策上好ましい。
【００２１】
本実施形態の点滴スタンドキャップ１０１、１０２の場合、装置構成がシンプルであるため、雑菌、病原菌あるいはホコリが付着しにくい。また洗浄や清掃が容易なので常に清潔な状態で点滴スタンドキャップ１０１、１０２を使用できる。
【００２２】
点滴スタンドキャップ１０１、１０２の外表面および内側のテーパ面に殺菌処理や殺菌効果を有する表面処理を行ってもよい。点滴スタンドキャップ１０１、１０２の形状がシンプルであるため容易に殺菌処理や表面処理を行える。
【００２３】
なお、点滴スタンドキャップ１０１、１０２の形状を例えば、こけし形状に形成しても、点滴スタンドキャップ表面をカラフルに仕上げてもよい。こうすることで点滴スタンド１１０の飾りあるいは目印になり、比較的殺風景な点滴スタンドおよび病室を和らげる効果も期待できる。
【００２４】
［第２実施形態］
次に本考案の第２実施形態としての点滴スタンドキャップについて、図３を用いて説明する。図３は、本実施形態に係る点滴スタンドキャップセット３００の構成を説明する図である。本実施形態に係る点滴スタンドキャップセット３００は、上記第１実施形態と比べると、４個の点滴スタンドキャップ３０１〜３０４で、１つの点滴スタンドキャップセット３００を構成している点で異なる。その他の構成および動作は、第１実施形態と同様であるので、同じ構成および動作については同じ符号を付してその詳しい説明を省略する。
【００２５】
点滴スタンドキャップ３０１〜３０４は、点滴スタンド３１０の４本のアームの先端に挿入されている。点滴スタンド３１０の上部には、互いに直角に交差する２本のアームが、支柱に対して水平に取り付けられている。本実施形態では、点滴スタンド３１０が、点滴バッグつり下げフックを４個備える構成としたが、つり下げフックの個数はこれに限定されない。
【００２６】
本実施形態によれば、点滴スタンドのカーテンのメッシュ部分への引っ掛かりを十分に防止できる。また、点滴バックつり下げフックが複数あっても点滴スタンドキャップを容易かつ確実に点滴スタンドに取り付けることができる。
【００２７】
［第３実施形態］
次に本考案の第３実施形態としての点滴スタンドキャップについて、図４を用いて説明する。図４は、本実施形態に係る点滴スタンドキャップ４０１、４０２の構成を説明する図である。本実施形態に係る点滴スタンドキャップ４０１、４０２は、上記第１実施形態と比べると、索状部材４０３、４０４を備えている点で異なる。その他の構成および動作は、第１実施形態と同様であるので、同じ構成および動作については同じ符号を付してその詳しい説明を省略する。索状部材４０３、４０４としては、繊維紐、ゴム紐、ナイロン紐、ワイヤーなどの樹脂製紐や金属製紐があるが、これらには限定されない。また、索状部材４０３、４０４として、樹脂製や金属製などの鎖を用いてもよい。
【００２８】
点滴スタンドキャップ４０１、４０２は、索状部材４０３、４０４を備えている。索状部材４０３、４０４は、一端が点滴スタンドキャップ４０１、４０２に取り付けられている。また、索状部材４０３、４０４の他端には、輪形状（リング形状）の掛止部が設けられており、掛止部がアーム１１２、１１５に通されている。
【００２９】
本実施形態によれば、点滴スタンドのカーテンのメッシュ部分への引っ掛かりを十分に防止できる。また、点滴スタンドキャップ４０１、４０２が、アーム１１２、１１５の先端１１４、１１７から外れても、点滴スタンドキャップ４０１、４０２が床などへ落下することがない。このため、患者などが、先端１１４、１１７から外れた点滴スタンドキャップ４０１、４０２を踏みつけることによる転倒事故を抑止することができる。また、点滴スタンドキャップ４０１、４０２が、床に落下すると、点滴スタンドキャップ４０１、４０２が汚れてしまい、そのままでは使用できなくなる。そのため、別の点滴スタンドキャップを使用するか、または、落下した点滴スタンドキャップを洗浄して再使用する必要があるが、本実施形態によれば、そのような手間が必要ない。
【００３０】
［第４実施形態］
次に本考案の第４実施形態としての点滴スタンドキャップについて、図５を用いて説明する。図５は、本実施形態に係る点滴スタンドキャップ５０１、５０２の構成を説明する図である。本実施形態に係る点滴スタンドキャップ５０１、５０２は、上記第１実施形態と比べると、索状部材５０３を備えている点で異なる。その他の構成および動作は、第１実施形態と同様であるので、同じ構成および動作については同じ符号を付してその詳しい説明を省略する。
【００３１】
点滴スタンドキャップ５０１、５０２は、索状部材５０３により互いに連結されている。索状部材５０３は、一端が点滴スタンドキャップ５０１に取り付けられ、他端が点滴スタンドキャップ５０２に取り付けられている。これにより、点滴スタンドキャップ５０１、５０２は、索状部材５０３を介して相互に接続された構成となっている。
【００３２】
本実施形態によれば、点滴スタンドのカーテンのメッシュ部分への引っ掛かりを十分に防止できる。また、点滴スタンドキャップ５０１、５０２の一方が、アーム１１２、１１５の先端１１４、１１７から外れても、点滴スタンドキャップ５０１、５０２が床などに落下することを防止できる。
【００３３】
［第５実施形態］
次に本考案の第５実施形態としての点滴スタンドキャップについて、図６を用いて説明する。図６は、本実施形態に係る点滴スタンドキャップ５０１、５０２の構成を説明する図である。本実施形態に係る点滴スタンドキャップ５０１、５０２は、上記第４実施形態と比べると、掛止部６０１を備えている点で異なる。その他の構成および動作については、第４実施形態と同様であるので、同じ構成および動作については同じ符号を付してその詳しい説明を省略する。
【００３４】
索状部材５０３は、掛止部６０１を備える。掛止部６０１は、輪形状（リング形状）をしている。掛止部６０１の輪（リング）には、索状部材５０３とアーム１１５とが通されている。これにより、アーム１１５と索状部材５０３とが結びつけられる構造となっている。
【００３５】
本実施形態によれば、点滴スタンドのカーテンのメッシュ部分への引っ掛かりを十分に防止できる。また、点滴スタンドキャップ５０１および点滴スタンドキャップ５０２が、先端１１４、１１７から外れても、掛止部６０１がアーム１１５に引っ掛かっているので、点滴スタンドキャップ５０１、５０２が床などに落下することを防止できる。そのため、患者などが、点滴スタンドキャップ５０１、５０２を踏みつけることによる転倒事故を抑止することができる。
【００３６】
［第６実施形態］
次に本考案の第６実施形態としての点滴スタンドキャップセットについて、図７を用いて説明する。図７は、本実施形態に係る点滴スタンドキャップセット７００の構成を説明する図である。本実施形態に係る点滴スタンドキャップセット７００は、上記第２実施形態と比べると索状部材７０５を備える点で異なる。その他の構成および動作は、第２実施形態と同様であるので、同じ構成および動作については同じ符号を付してその詳しい説明を省略する。
【００３７】
点滴スタンドキャップセット７００は、４個の点滴スタンドキャップ７０１〜７０４と索状部材７０５とを備える。４個の点滴スタンドキャップ７０１〜７０４は、索状部材７０５を介して互いに連結されている。また、索状部材７０５は、複数の索状部材が結節点７０６で一体化された構造となっているが、これに限定されない。
【００３８】
本実施形態によれば、点滴スタンドのカーテンのメッシュ部分への引っ掛かりを十分に防止できる。また、例えば点滴スタンドキャップ７０１が点滴スタンドの先端から外れても、点滴スタンドキャップ７０１が床などに落下するのを防止できる。そのため、患者などが、点滴スタンドキャップ５０１、５０２を踏みつけることによる転倒事故を抑止することができる。
【００３９】
［第７実施形態］
次に本考案の第７実施形態としての点滴スタンドについて、図８を用いて説明する。図８は、点滴スタンド８００の構成を説明する図である。点滴スタンド８００は、点滴スタンドキャップ８０１、８０２と、索状部材８０３、８０４と、支柱８１１と、アーム８１２、８１５とを有する。点滴スタンドキャップ８０１、８０２、は、アーム８１２、８１５の先端８１４、８１７に挿入されている。
【００４０】
索状部材８０３は、一端が点滴スタンドキャップ８０１に取り付けられ、他端がアーム８１２に取り付けられている。同様に、索状部材８０４は、一端が点滴スタンドキャップ８０２に取り付けられ、他端がアーム８１５に取り付けられている。よって、点滴スタンドキャップ８０１、８０２が、点滴スタンド８００に常時接続されている構造となっている。
【００４１】
本実施形態によれば、点滴スタンドのカーテンのメッシュ部分への引っ掛かりを十分に防止できる。また、点滴スタンドキャップ８０１、８０２が先端８１４、８１７から外れても、点滴スタンドキャップ８０１、８０２が床などに落下するのを防止できる。そのため、点滴スタンドキャップ８０１、８０２が汚れることがなく、再度先端８１４、８１７に取り付けることにより、点滴スタンドキャップ８０１、８０２を継続して使用することができる。
【００４２】
以上、実施形態を参照して本考案を説明したが、本考案は上記実施形態に限定されるものではない。本考案の構成や詳細には、本考案のスコープ内で当業者が理解し得る様々な変更をすることができる。
【図１】
0003196492.tif 000003
【図２】
0003196492.tif 000004
【図３】
0003196492.tif 000005
【図４】
0003196492.tif 000006
【図５】
0003196492.tif 000007
【図６】
0003196492.tif 000008
【図７】
0003196492.tif 000009
【図８】
0003196492.tif 000010